【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
少なくとも表面の一部が主としてＴｉまたはステンレス鋼で構成された基材と、
前記基材上に設けられ、主としてＴｉＣで構成された被膜とを有し、
前記被膜は、少なくとも、第１の領域と、該第１の領域よりも前記基材に近い側に設けられた第２の領域とを有するものであり、
前記第２の領域の弾性率が、前記第１の領域の弾性率よりも大きいことを特徴とする時計用外装部品。
【請求項２】
前記第１の領域中におけるＣの含有率が４５質量％以上６０質量％以下である請求項１に記載の時計用外装部品。
【請求項３】
前記第２の領域中におけるＣの含有率が３５質量％以上５５質量％以下である請求項１または２に記載の時計用外装部品。
【請求項４】
前記第１の領域中におけるＣの含有率をＸ１［質量％］、前記第２の領域中におけるＣの含有率をＸ２［質量％］としたとき、５≦Ｘ１−Ｘ２≦２５の関係を満足する請求項１ないし３のいずれか１項に記載の時計用外装部品。
【請求項５】
前記被膜は、その厚さ方向に沿って、Ｃの含有率が傾斜的に変化する領域を有するものである請求項１ないし４のいずれか１項に記載の時計用外装部品。
【請求項６】
前記被膜の平均厚さは、１．１μｍ以上１．９μｍ以下である請求項１ないし５のいずれか１項に記載の時計用外装部品。
【請求項７】
前記被膜は、前記第２の領域よりも前記基材に近い側に、前記第２の領域よりも弾性率が大きい第３の領域をさらに有するものである請求項１ないし６のいずれか１項に記載の時計用外装部品。
【請求項８】
前記第３の領域中におけるＣの含有率が１５質量％以上３５質量％以下である請求項７に記載の時計用外装部品。
【請求項９】
前記第２の領域中におけるＣの含有率をＸ２［質量％］、前記第３の領域中におけるＣの含有率をＸ３［質量％］としたとき、５≦Ｘ２−Ｘ３≦４０の関係を満足する請求項７または８に記載の時計用外装部品。
【請求項１０】
ベゼル、胴、りゅうず、裏蓋、時計バンドのうちの少なくともいずれか一つである請求項１ないし９のいずれか１項に記載の時計用外装部品。
【請求項１１】
請求項１ないし１０のいずれか１項に記載の時計用外装部品を備えたことを特徴とする時計。
【手続補正２】
【補正対象書類名】明細書
【補正対象項目名】発明の名称
【補正方法】変更
【補正の内容】
【発明の名称】時計用外装部品および時計
【手続補正３】
【補正対象書類名】明細書
【補正対象項目名】０００１
【補正方法】変更
【補正の内容】
【０００１】
本発明は、時計用外装部品および時計に関する。
【手続補正４】
【補正対象書類名】明細書
【補正対象項目名】０００８
【補正方法】変更
【補正の内容】
【０００８】
本発明の目的は、傷や打痕等の凹みが付き難く、比較的大きな外力が加わり凹みを生じた場合でも、当該凹みが目立ちにくい時計用外装部品を提供すること、また、当該時計用外装部品を備えた時計を提供することにある。
【手続補正５】
【補正対象書類名】明細書
【補正対象項目名】０００９
【補正方法】変更
【補正の内容】
【０００９】
このような目的は、下記の本発明により達成される。
本発明の時計用外装部品は、少なくとも表面の一部が主としてＴｉまたはステンレス鋼で構成された基材と、
前記基材上に設けられ、主としてＴｉＣで構成された被膜とを有し、
前記被膜は、少なくとも、第１の領域と、該第１の領域よりも前記基材に近い側に設け
られた第２の領域とを有するものであり、
前記第２の領域の弾性率が、前記第１の領域の弾性率よりも大きいことを特徴とする。
【手続補正６】
【補正対象書類名】明細書
【補正対象項目名】００１０
【補正方法】変更
【補正の内容】
【００１０】
これにより、傷や打痕等の凹みが付き難く、比較的大きな外力が加わり凹みを生じた場合でも、当該凹みが目立ちにくい時計用外装部品を提供することができる。
【手続補正７】
【補正対象書類名】明細書
【補正対象項目名】００１１
【補正方法】変更
【補正の内容】
【００１１】
本発明の時計用外装部品では、前記第１の領域中におけるＣの含有率が４５質量％以上６０質量％以下であることが好ましい。
【手続補正８】
【補正対象書類名】明細書
【補正対象項目名】００１３
【補正方法】変更
【補正の内容】
【００１３】
本発明の時計用外装部品では、前記第２の領域中におけるＣの含有率が３５質量％以上５５質量％以下であることが好ましい。
【手続補正９】
【補正対象書類名】明細書
【補正対象項目名】００１５
【補正方法】変更
【補正の内容】
【００１５】
本発明の時計用外装部品では、前記第１の領域中におけるＣの含有率をＸ１［質量％］、前記第２の領域中におけるＣの含有率をＸ２［質量％］としたとき、５≦Ｘ１−Ｘ２≦２５の関係を満足することが好ましい。
【手続補正１０】
【補正対象書類名】明細書
【補正対象項目名】００１７
【補正方法】変更
【補正の内容】
【００１７】
本発明の時計用外装部品では、前記被膜は、その厚さ方向に沿って、Ｃの含有率が傾斜的に変化する領域を有するものであることが好ましい。
【手続補正１１】
【補正対象書類名】明細書
【補正対象項目名】００１９
【補正方法】変更
【補正の内容】
【００１９】
本発明の時計用外装部品では、前記被膜の平均厚さは、１．１μｍ以上１．９μｍ以下であることが好ましい。
【手続補正１２】
【補正対象書類名】明細書
【補正対象項目名】００２０
【補正方法】変更
【補正の内容】
【００２０】
これにより、被膜の内部応力が大きくなるのを十分に防止しつつ、比較的大きな外力が加わり凹みを生じた場合でも、当該凹みをより目立ちにくいものとすることができる。したがって、時計用外装部品の耐久性をより優れたものとすることができる。
【手続補正１３】
【補正対象書類名】明細書
【補正対象項目名】００２１
【補正方法】変更
【補正の内容】
【００２１】
本発明の時計用外装部品では、前記被膜は、前記第２の領域よりも前記基材に近い側に、前記第２の領域よりも弾性率が大きい第３の領域をさらに有するものであることが好ましい。
【手続補正１４】
【補正対象書類名】明細書
【補正対象項目名】００２３
【補正方法】変更
【補正の内容】
【００２３】
本発明の時計用外装部品では、前記第３の領域中におけるＣの含有率が１５質量％以上３５質量％以下であることが好ましい。
【手続補正１５】
【補正対象書類名】明細書
【補正対象項目名】００２５
【補正方法】変更
【補正の内容】
【００２５】
本発明の時計用外装部品では、前記第２の領域中におけるＣの含有率をＸ２［質量％］、前記第３の領域中におけるＣの含有率をＸ３［質量％］としたとき、５≦Ｘ２−Ｘ３≦４０の関係を満足することが好ましい。
【手続補正１６】
【補正対象書類名】明細書
【補正対象項目名】００２７
【補正方法】変更
【補正の内容】
【００２７】
本発明の時計用外装部品は、ベゼル、胴、りゅうず、裏蓋、時計バンドのうちの少なくともいずれか一つであることが好ましい。
これらの部材は、時計全体の外観に大きな影響を与えるとともに、時計の正常な使用時において、外部からの比較的大きな衝撃により損傷（例えば、擦り傷や打痕等）を受けやすい部材であり、優れた美的外観とともに、特に優れた耐久性が求められる部材であるが、本発明によれば、これらの要求を満足することができる。すなわち、本発明が前述したような時計用外装部品に適用される場合に、本発明による効果がより顕著に発揮される。
【手続補正１７】
【補正対象書類名】明細書
【補正対象項目名】００２８
【補正方法】変更
【補正の内容】
【００２８】
本発明の時計は、本発明の時計用外装部品を備えたことを特徴とする。
これにより、傷や打痕等の凹みが付き難く、比較的大きな外力が加わり凹みを生じた場合でも、当該凹みが目立ちにくい時計用外装部品を備えた時計を提供することができる。
【手続補正１８】
【補正対象書類名】明細書
【補正対象項目名】００６４
【補正方法】変更
【補正の内容】
【００６４】
このチャートにおける点ａの座標を（０，０）、点ｂの座標を（ｘｂ，ｙｂ）、点ｃの座標を（ｘｃ，０）、点ｄの座標を（ｘｄ，０）とすることができる。